(57)【要約】【課題】Ｋ拡張処理とＣＭＹ拡張処理の双方において発生していた問題を共に解消する。【解決手段】  対象画素に付された色を所定の色に置き換えることによって隣接画素の色拡張を行う画像形成装置１０であって、注目画素及び当該注目画素から一定範囲に存在する各周辺画素が所定オブジェクトのエッジ部に該当するか否かを判定するエッジ判定手段６２１と、前記注目画素及び各周辺画素の濃度をその画素に付された色成分ごとに検出する濃度検出手段６２２と、前記注目画素及び各周辺画素の濃度並びに前記注目画素及び各周辺画素が前記所定オブジェクトのエッジ部に該当するか否かにもとづいて前記注目画素が前記色拡張の対象か否かを判定するとともに、前記色拡張の対象と判定された注目画素が単色を用いて前記色拡張を行う画素か、混色を用いて前記色拡張を行う画素かを判定する拡張画素判定手段６２３を備えた構成とする。【選択図】図２
2011174981.tif 000002
【特許請求の範囲】
【請求項１】
対象画素に付された色を所定の色に置き換えることによって隣接画素の色拡張を行う画像形成装置であって、
注目画素及び当該注目画素から一定範囲に存在する各周辺画素が所定オブジェクトのエッジ部に該当するか否かを判定するエッジ判定手段と、
前記注目画素及び各周辺画素の濃度をその画素に付された色成分ごとに検出する濃度検出手段と、
前記注目画素及び各周辺画素の濃度並びに前記注目画素及び各周辺画素が前記所定オブジェクトのエッジ部に該当するか否かにもとづいて前記注目画素が前記色拡張の対象か否かを判定するとともに、前記色拡張の対象と判定された注目画素が単色を用いて前記色拡張を行う画素か、混色を用いて前記色拡張を行う画素かを判別する拡張画素判定手段と、
前記色拡張の対象と判定された注目画素に対し、前記判別に応じた色拡張を行う色拡張手段とを備える
ことを特徴とする画像形成装置。
【請求項２】
前記拡張画素判定手段が、
注目画素が前記所定オブジェクトのエッジ部に該当せず、当該注目画素に付された色成分ごとの濃度がいずれも所定の閾値以上であり、前記一定範囲内に前記所定オブジェクトのエッジ部に該当する画素がある場合に、この注目画素を所定の単色を用いて前記色拡張を行う画素と判別する
請求項１記載の画像形成装置。
【請求項３】
前記拡張画素判定手段が、
注目画素が前記所定オブジェクトのエッジ部に該当し、前記周辺画素のうち前記所定オブジェクトのエッジ部に該当しない各画素に付された色成分ごとの濃度がいずれも所定の閾値以上である場合に、この注目画素を所定の混色を用いて前記色拡張を行う画素と判別する
請求項１又は２記載の画像形成装置。
【請求項４】
前記エッジ判定手段が、
前記一定範囲に存在する各画素が所定の文字エッジ部に該当するか否かを判定し、
前記拡張画素判定手段が、
注目画素が前記文字エッジ部に該当せず、当該注目画素に付されたシアン、マゼンタ及びイエローの各濃度がいずれも所定の閾値以上の画素であり、前記一定範囲内に前記文字エッジ部に該当する画素がある場合に、この注目画素をブラックの単色を用いて前記色拡張を行う画素と判別する
請求項１〜３のいずれか一項記載の画像形成装置。
【請求項５】
前記拡張画素判定手段が、
注目画素が前記文字エッジ部に該当し、前記周辺画素のうち前記文字エッジ部に該当しない各画素に付されたシアン、マゼンタ及びイエローの各濃度がいずれも所定の閾値以上である場合に、この注目画素をシアン、マゼンタ及びイエローを用いて前記色拡張を行う画素と判別する
請求項４記載の画像形成装置。
【請求項６】
前記色拡張手段が、
注目画素が所定の単色を用いて前記色拡張を行う画素と判別された場合に、その注目画素を隣接する画素に付された前記単色を用いて前記色拡張を行う
請求項１〜５のいずれか一項記載の画像形成装置。
【請求項７】
前記色拡張手段が、
注目画素が所定の混色を用いて前記色拡張を行う画素と判別された場合に、その注目画素を隣接する画素に付された前記混色を用いて前記色拡張を行う
請求項１〜６のいずれか一項記載の画像形成装置。
【請求項８】
前記一定範囲は、注目画素を中心に５×５の画素の範囲からなる
請求項１〜７のいずれか一項記載の画像形成装置。
【請求項９】
対象画素に付された色を所定の色に置き換えることによって隣接画素の色拡張を行う画像形成方法であって、
注目画素及び当該注目画素から一定範囲に存在する各周辺画素が所定オブジェクトのエッジ部に該当するか否かを判定するステップと、
前記注目画素及び各周辺画素の濃度をその画素に付された色成分ごとに検出するステップと、
前記注目画素及び各周辺画素の濃度並びに前記注目画素及び各周辺画素が前記所定オブジェクトのエッジ部に該当するか否かにもとづいて前記注目画素が前記色拡張の対象か否かを判定するとともに、前記色拡張の対象と判定された注目画素が単色を用いて前記色拡張を行う画素か、混色を用いて前記色拡張を行う画素かを判別するステップと、
前記色拡張の対象と判定された注目画素に対し、前記判別に応じた色拡張を行うステップとを有する
ことを特徴とする画像形成方法。
【発明の詳細な説明】
【技術分野】
【０００１】
本発明は、単色又は混色によってオブジェクトを再現する画像形成装置及び画像形成方法に関する。
【背景技術】
【０００２】
近年、複写機やプリンターに代表される画像形成装置では、ブラック（Ｋ）、イエロー（Ｙ）、マゼンタ（Ｍ）、シアン（Ｃ）の４色分の感光体ドラムを配置し、各感光体ドラムに形成（現像）された各色のトナー像を、中間転写体又は転写材に転写することにより文字、線画、写真などの印刷を実現する方式が多く用いられている。
この様な画像形成装置では、一定の線幅を有する文字や線の内側をＣ（シアン）、Ｍ（マゼンタ）、Ｙ（イエロー）、Ｋ（ブラック）の各トナーの混色によって被覆するとともに、エッジ部分をＫ単色のトナーで被覆することにより、文字や線をシャープに表現する方法が採られている。
【０００３】
ところが、カラー複写機やカラープリンター等においては、使用環境や経年の影響等を受けて感光体ドラム、中間転写体、転写材（印刷用紙等）との間に微妙な位置ズレを生ずることがあるため、これらの被転写体に形成された文字等のエッジ部分において、トナーが被覆されていない下地が露出し、文字が白く抜けた状態の色ずれを生じてしまうことがある。
このような色ずれの対策として、文字のエッジ側から内側に対してＫを拡張する処理（以下、Ｋ拡張処理という）や、文字の内側からエッジ側に対してＣＭＹを拡張する処理（以下、ＣＭＹ拡張処理という）が施される場合がある（例えば、特許文献１参照）。
【先行技術文献】
【特許文献】
【０００４】
【特許文献１】特許第３７００４５３号公報
【発明の概要】
【発明が解決しようとする課題】
【０００５】
しかしながら、Ｋ拡張処理によれば、文字エッジと文字内部との境界部分にはＫ成分しか残らないため、色ずれに十分対応できない場合があった。例えば、スクリーン線数の低いローエンドの画像形成装置を用いる場合等、線間の隙間が大きくなるケースでは、文字エッジと文字内部との境界部分に白抜けが残る不具合が生じていた。
また、ＣＭＹ拡張処理によれば、線幅の狭い文字では文字外部境界との間隔が十分ではないためトナーが文字の外部にはみ出すことがあった。
つまり、上記のいずれの拡張処理によっても、視認性の低下を伴う問題が依然として残っており、さらなる改良が求められていた。
【０００６】
本発明は、上記の事情に鑑みてなされたものであり、Ｋ拡張処理とＣＭＹ拡張処理を条件に応じて使い分けることにより、それぞれの処理において発生していた異なる問題を解消することができ、画像品質を効果的に向上させることができる画像形成装置及び画像形成方法の提供を目的とする。
【課題を解決するための手段】
【０００７】
上記目的を達成するため本発明の画像形成装置は、対象画素に付された色を所定の色に置き換えることによって隣接画素の色拡張を行う画像形成装置であって、注目画素及び当該注目画素から一定範囲に存在する各周辺画素が所定オブジェクトのエッジ部に該当するか否かを判定するエッジ判定手段と、前記注目画素及び各周辺画素の濃度をその画素に付された色成分ごとに検出する濃度検出手段と、前記注目画素及び各周辺画素の濃度並びに前記注目画素及び各周辺画素が前記所定オブジェクトのエッジ部に該当するか否かにもとづいて前記注目画素が前記色拡張の対象か否かを判定するとともに、前記色拡張の対象と判定された注目画素が単色を用いて前記色拡張を行う画素か、混色を用いて前記色拡張を行う画素かを判別する拡張画素判定手段と、前記色拡張の対象と判定された注目画素に対し、前記判別に応じた色拡張を行う色拡張手段とを備えるようにしてある。
【０００８】
また、本発明の画像形成方法は、対象画素に付された色を所定の色に置き換えることによって隣接画素の色拡張を行う画像形成方法であって、注目画素及び当該注目画素から一定範囲に存在する各周辺画素が所定オブジェクトのエッジ部に該当するか否かを判定するステップと、前記注目画素及び各周辺画素の濃度をその画素に付された色成分ごとに検出するステップと、前記注目画素及び各周辺画素の濃度並びに前記注目画素及び各周辺画素が前記所定オブジェクトのエッジ部に該当するか否かにもとづいて前記注目画素が前記色拡張の対象か否かを判定するとともに、前記色拡張の対象と判定された注目画素が単色を用いて前記色拡張を行う画素か、混色を用いて前記色拡張を行う画素かを判別するステップと、前記色拡張の対象と判定された注目画素に対し、前記判別に応じた色拡張を行うステップとを有する方法としている。
【発明の効果】
【０００９】
本発明によれば、Ｋ拡張処理とＣＭＹ拡張処理におけるそれぞれの問題を解消することができるとともに、それぞれの拡張処理におけるメリットを活かすことができ、効果的に画像品質を向上させることができる。
【図面の簡単な説明】
【００１０】
【図１】本発明の一実施形態に係る画像形成装置の外観図である。
【図２】本発明の一実施形態に係る制御部の構成を示すブロック図である。
【図３】本発明の一実施形態に係るＫ拡張対象画素の判定方法を示したフローチャートである。
【図４】Ｋ拡張対象と判定される注目画素の例を表した図である。
【図５】本発明の一実施形態に係るＣＭＹ拡張対象画素の判定方法を示したフローチャートである。
【図６】ＣＭＹ拡張対象と判定される注目画素の例（ａ）及びＣＭＹ拡張対象と判定されない注目画素の例（ｂ）を表した図である。
【発明を実施するための形態】
【００１１】
以下、本発明の実施形態について、図面を参照して説明する。
なお、画像形成装置１０は、ＣＰＵ（Central  Process  Unit）やチップセット等の制御要素、ＲＯＭ（Read  Only  Memory）及びＲＡＭ（Random  Access  Memory）等により構成されたコンピューターを有する。ＣＰＵは、プログラムを実行する演算処理装置である。ＲＯＭは、プログラム及びデータを予め記憶した不揮発性のメモリである。ＲＡＭは、プログラムを実行する際にそのプログラム及びデータを一時的に記憶して、作業領域として用いるメモリである。ＲＯＭに記憶されたプログラムは、ＣＰＵの制御手段に読み込まれることにより、コンピューターの構成各部に指令を送り、所定の処理を行わせる。
【００１２】
例えば、ソフトウェア機能として、制御部６に、画像データ解析処理、拡張対象画素判定処理、ＣＭＹ／ＣＭＹＫ変換処理、Ｋ／ＣＭＹ画素拡張処理、描画処理等を行わせる。
また、ハードウェア機能として、印刷エンジン７に、上記各処理が施された画像データにもとづき印刷処理を行わせる。
【００１３】
図１は、本発明の一実施形態に係る画像形成装置の外観図である。
まず、原稿給紙トレイ１に設置された原稿Ａは、利用者のコピー実行操作に応じてローラー群２により原稿搬送部本体３の内部に搬送され、原稿排紙トレイ４に排紙される。
ここで、スキャナ部５は、原稿Ａの読み取りを行う。
具体的には、搬送されてきた原稿Ａを露光ランプ５１によって露光し、その反射光をミラー群５２及び集光レンズ５３を介してイメージセンサ５４で縮小結像し、光電変換処理を経て画像データとしての電気信号を取得する。
【００１４】
スキャナ部５で取得された画像データは制御部６による各種処理を経て印刷エンジン７に出力される。
制御部６は、画像データにもとづき画像中の文字エッジ部を検出し、周辺画素との関係にもとづいて必要な色拡張処理（Ｋ拡張処理、ＣＭＹ拡張処理）を施す。
【００１５】
印刷エンジン７は、シアン、マゼンタ、イエロー及びブラックの各々に対応して、帯電部７１、露光部７２、現像部７３、感光体ドラム７４からなる印字ユニット７０をそれぞれ有しており、各色ごとに以下の処理を行う。なお、図１において、マゼンタの印字ユニット７０Ｍとシアンの印字ユニット７０Ｃの表示は省略する。
まず、帯電部７１が、感光体ドラム７４の表面を一様に帯電させ（帯電処理）、露光部７２が、感光体ドラム７４の表面における画像データに応じた静電潜像を形成し（露光処理）、現像部７３が、トナーを放出することにより感光体ドラム７４の表面に静電潜像にもとづくトナー像を形成する（現像処理）。
【００１６】
感光体ドラム７４の表面に形成されたトナー像は、各色ごとに順次転写ベルト７５上に転写され、用紙カセット８や手差しトレイ９から給紙された用紙Ｐ上に一括転写されることによって同一用紙Ｐ上にカラー画像を形成する（転写処理）。
定着部７６は、その後、用紙Ｐを加熱及び加圧することによりカラー画像を用紙Ｐに定着させる（定着処理）。これにより、用紙Ｐに対する原稿Ａの複写処理が完了する。
【００１７】
ここで、制御部における処理について図２を参照しながら詳細に説明する。
図２は、本実施形態に係る制御部の構成を示す機能ブロック図である。
同図に示すように、制御部６は、画像データ解析部６１と、拡張対象画素判定部６２と、ＣＭＹ／ＣＭＹＫ変換部６３と、Ｋ／ＣＭＹ画素拡張部６４と、描画部６５とを備える。
画像データ解析部６１は、スキャナ部５が読み取った原稿Ａの画像データを解析してＣＭＹのデータに変換する。変換されたＣＭＹデータは、拡張対象画素判定部６２に送られる。
【００１８】
拡張対象画素判定部６２は、画像データ解析部６１から受け取ったＣＭＹデータをＣＭＹ／ＣＭＹＫ変換部６３に出力するとともに、そのＣＭＹデータにもとづき、注目画素が、隣接画素の色に置き換えるいわゆる色拡張の対象とすべき画素か否かを判定する。
具体的には、拡張対象画素判定部６２は、注目画素が文字エッジと文字内部の境界にある場合、その注目画素が、文字エッジから文字内部側に対して文字エッジの色（Ｋ）を補間するＫ拡張処理を行う対象か、もしくは、文字内部から文字エッジ側に対して文字内部の色（シアン、マゼンタ及びイエロー（ＣＭＹ）の混色）を補間するＣＭＹ拡張処理を行う対象か、又は、色拡張処理の必要がないかを判別する。
【００１９】
ここで、まず、Ｋ拡張対象画素の判定方法について図３を参照しながら説明する。
図３は、本実施形態に係るＫ拡張対象画素の判定方法を示したフローチャートである。
同図に示すように、まず、エッジ判定手段６２１が、画像データにおける各画素につき、注目画素や当該注目画素を中心とした一定範囲（５×５画素）に存在する各周辺画素が文字エッジ部に該当するか否かを判定するとともに、濃度検出手段６２２が、注目画素及び各周辺画素の濃度を検出する（Ｓ１１）。
【００２０】
例えば、エッジ判定手段６２１は、注目画素と周辺画素との濃度差にもとづいてその注目画素が文字エッジ部（黒文字エッジ領域）に該当する画素か否かを判定することができる。つまり、この場合、エッジ判定手段６２１は、注目画素の濃度ｘ、周辺画素の濃度ｙについて、｜ｘ−ｙ｜＞ｚ（但し、ｚは文字エッジ判定のための閾値）の条件が満たされた場合に、その注目画素は、文字エッジ部を構成する画素と判定することができる。
また、濃度検出手段６２２は、注目画素及び各周辺画素について、シアン（Ｃ）、マゼンタ（Ｍ）、イエロー（Ｙ）の各階調値（例えば、２５６階調の場合、０〜２５５）を取得する。
【００２１】
次に、拡張画素判定手段６２３が、注目画素が文字エッジ部に該当せず、かつ、そのＣＭＹの各濃度がいずれも所定の閾値以上であるか否かを判定する（Ｓ１２）。閾値は、例えば、Ｃ＞２５０，Ｍ＞２５０，Ｙ＞２５０といった条件を設定することができる。このような条件を満たす画素は所定の黒色を表すから、文字内部を形成する画素と判定することができる。
すなわち、拡張画素判定手段６２３は、注目画素が文字内部を形成する画素か否かを判定することができる。
【００２２】
この結果、注目画素が文字エッジ部に該当せず、かつ、注目画素のＣＭＹの各濃度がいずれも所定の閾値以上であると判定された場合（Ｓ１２：ＹＥＳ）、拡張画素判定手段６２３は、当該範囲内（すなわち、各周辺画素）に文字エッジ部に該当する画素が存在するか否かを判定する（Ｓ１３）。
これは、周辺画素（本実施形態の場合、注目画素から２画素以内の距離に存在する画素）における文字エッジ部の存否を確認するものである。
【００２３】
Ｓ１３の結果、当該範囲内に文字エッジ部に該当する画素が存在すると判定された場合（Ｓ１３：ＹＥＳ）、この注目画素をＫ拡張対象画素と判別する（Ｓ１４）。
すなわち、図４に示すように、文字エッジ部をなす周辺画素と２画素以内の距離に配置される文字内部の画素（注目画素）については、Ｋ拡張処理の対象とする。
なお、拡張画素判定手段６２３は、Ｓ１２又はＳ１３において否定された場合（Ｓ１２，Ｓ１３：ＮＯ）、その注目画素についてはＫ拡張処理の対象としない。
【００２４】
次に、ＣＭＹ拡張対象画素の判定方法について図５を参照しながら説明する。
図５は、本実施形態に係るＫ拡張対象画素の判定方法を示したフローチャートである。
同図に示すように、まず、エッジ判定手段６２１が、画像データにおける各画素につき、注目画素や当該注目画素から一定範囲（５×５画素）に存在する各周辺画素が文字エッジ部に該当するか否かを判定するとともに、濃度検出手段６２２が、注目画素及び各周辺画素の濃度を検出する（Ｓ２１）。
【００２５】
次に、拡張画素判定手段６２３が、注目画素が文字エッジ部に該当するか否かを判定する（Ｓ２２）。
この結果、注目画素が文字エッジ部に該当すると判定された場合（Ｓ２２：ＹＥＳ）、拡張画素判定手段６２３は、当該範囲内にある周辺画素のうち、文字エッジ部に該当しない画素のＣＭＹの各濃度がいずれも所定の閾値以上か否かを判定する（Ｓ２３）。
これは、周辺画素に文字領域以外の画素があるか否かを確認するものである。
例えば、文字エッジ部でもなく、Ｃ≦２５０、Ｍ≦２５０、Ｙ≦２５０の色成分を有する周辺画素は、文字以外のオブジェクトをなす画素と判定することができる。
【００２６】
そして、Ｓ２３の結果、当該範囲内にある文字エッジ部に該当しない周辺画素の濃度が所定の閾値以上であると判定された場合（Ｓ２３：ＹＥＳ）、拡張画素判定手段６２３は、この注目画素をＣＭＹ拡張対象画素と判別する（Ｓ２４）。
なお、拡張画素判定手段６２３は、Ｓ２２又はＳ２３において否定された場合（Ｓ２２，Ｓ２３：ＮＯ）、その注目画素はＣＭＹ拡張の対象としない。
【００２７】
すなわち、図６（ａ）に示すように、文字内部をなす周辺画素と２画素以内の距離に配置される文字エッジ部の画素（注目画素）については、ＣＭＹ拡張の対象とするものである。
ただし、図６（ｂ）に示すように、文字内部をなす周辺画素と２画素以内の距離に配置される文字エッジ部の画素（注目画素）であっても、その注目画素から２画素以内の距離に文字以外の画素（即ち、文字のエッジ部でも内部でもない画素）がある場合には、ＣＭＹ拡張の対象としない。
【００２８】
なお、図２に示すように、拡張対象画素判定部６２は、上記方法を介してＫ拡張対象画素又はＣＭＹ拡張対象画素と判定された画素の位置（座標）を、Ｋ／ＣＭＹ画素拡張部６４に通知するとともに、画像データ解析部６１から受け取ったＣＭＹデータを、ＣＭＹ／ＣＭＹＫ変換部６３に出力する。
ＣＭＹ／ＣＭＹＫ変換部６３は、拡張対象画素判定部６２から受け取ったＣＭＹデータをＣＭＹＫデータに変換する。
【００２９】
次いで、Ｋ／ＣＭＹ画素拡張部（色拡張手段）６４が、拡張対象画素判定部６２から取得した拡張対象画素の位置情報にもとづき対象画素のＫ拡張処理及びＣＭＹ拡張処理を行う。
具体的には、Ｋ／ＣＭＹＫ画素拡張部６４は、Ｋ拡張処理を行う場合、その注目画素を隣接する画素に付されたＫ単色に置き換えることによって色拡張を行う。
また、Ｋ／ＣＭＹＫ画素拡張部６４は、ＣＭＹ拡張処理を行う場合、その注目画素を隣接する画素に付されたＣＭＹに置き換えることによって色拡張を行う。
【００３０】
そして、描画部６５が、色拡張処理が施された画像データを含む全体の画像データ（ＣＭＹＫデータ）にもとづいて、色ごとのビットマップデータを生成する。
生成されたビットマップデータは、印刷エンジン部７に出力され、上述した帯電処理、露光処理、現像処理、転写処理及び定着処理を介して印刷処理が行われる。
【００３１】
以上のように、本実施形態の画像形成装置１０によれば、注目画素が黒文字内部の画素であり、かつ、注目画素から一定範囲（２画素の距離）内に黒文字エッジの画素が存在する場合には、注目画素に対してＫ拡張処理を施すようにしている。
このようなＫ拡張処理によれば、文字エッジと文字内部の境界において、文字エッジから文字内部に対し１画素レベルで細密にＫ拡張処理を行うことができる。
このため、スクリーン線数の低いローエンドの画像形成装置を用いる場合など、線間の隙間が大きくなるケースにあっても、文字エッジと文字内部との境界部分に黒色が補間され、色ずれによる白抜けを完全に解消することができる。
【００３２】
また、本実施形態の画像形成装置１０によれば、注目画素が黒文字エッジの画素であり、注目画素から一定範囲内に黒文字内部の画素が存在する場合であって、かつ、その一定範囲内に黒文字エッジ又は黒文字内部のいずれにも該当しない画素が存在しない場合には、注目画素に対してＣＭＹ拡張処理を施すようにしている。
このようなＣＭＹ拡張処理によれば、文字内部から文字エッジに対するＣＭＹ拡張処理に際し、線幅の狭い文字等を的確に検知してＣＭＹ拡張処理の対象から除外するようにしている。
このため、ＣＭＹ拡張処理に伴いトナーが文字の外部にはみ出る従来の問題を効果的に防ぐことが出来る。
【００３３】
したがって、本実施形態の画像形成装置１によれば、Ｋ拡張処理とＣＭＹ拡張処理における双方の問題を解消するとともに、双方のメリットを活かすことができ、あらゆる条件下において良好な画質を提供することができる。
【００３４】
以上、本発明について、実施形態を示して説明したが、本発明は、上述した実施形態にのみ限定されるものではなく、特許請求の範囲内で種々の変更が可能である。
上述した実施形態では、文字のエッジや内部を識別することによって文字を対象とした色拡張処理の制御について説明しているが、対象は文字に限るものではない。
例えば、線、図形、記号等、黒色で表されるオブジェクトのエッジ部に対して本発明を適用することにより、同一の作用効果を奏し、その目的を達することができる。
また、注目画素を中心に５×５画素の範囲内において、拡張画素判定を行うようにしているが、このような範囲に限るものではなく、７×７画素や５×７画素等、様々なサイズや形状の画素範囲において拡張対象画素を判定することができる。
【産業上の利用可能性】
【００３５】
本発明は、複写機、プリンター、ＭＦＰなどのカラー対応の画像形成装置に好適に用いることができる。
【符号の説明】
【００３６】
６  制御部
６２  拡張対象画素判定部
６２１  エッジ判定手段
６２２  濃度検出手段
６２３  拡張画素判定手段
６４  Ｋ／ＣＭＹ画素拡張部（色拡張手段）
【図１】
2011174981.tif 000003
【図２】
2011174981.tif 000004
【図３】
2011174981.tif 000005
【図４】
2011174981.tif 000006
【図５】
2011174981.tif 000007
【図６】
2011174981.tif 000008